(57)【要約】【課題】吊り上げにかかる時間を短縮できる吊り具装置を提供すること。【解決手段】吊り具装置１は、フック１０と連結される連結部３を一端に有するロッド２と、クラッチカバー２０に係合する爪部８を一端に有する複数の腕部７と、ロッド２が軸方向に移動可能に挿通され、複数の腕部７の他端を回動自在に支持するベース部６と、ロッド２を中心として回転可能にロッド２に設けられた案内部４と、を備える。案内部４の外周部分には、複数の腕部７のそれぞれが嵌合可能であり、かつ、第１の深さを有する溝部５ａと、複数の腕部７のそれぞれが嵌合可能であり、かつ、第１の深さよりも浅い第２の深さを有する溝部５ｂ、５ｃと、が設けられている。【選択図】図２
2020040815.tif 000002
【特許請求の範囲】
【請求項１】
吊上装置と連結される連結部を一端に有するロッドと、
対象部品に係合する爪部を一端に有する複数の腕部と、
前記ロッドが軸方向に移動可能に挿通され、前記複数の腕部の他端を回動自在に支持するベース部と、
前記ロッドを中心として回転可能に前記ロッドに設けられた案内部と、を備え、
前記案内部の外周部分には、
前記複数の腕部のそれぞれが嵌合可能であり、かつ、第１の深さを有する第１溝部と、
前記複数の腕部のそれぞれが嵌合可能であり、かつ、前記第１の深さよりも浅い第２の深さを有する第２溝部と、が設けられている、
吊り具装置。
【請求項２】
前記複数の腕部のそれぞれが前記第１溝部に嵌合している場合、前記複数の腕部における前記爪部が設けられた端部同士が接する、
請求項１に記載の吊り具装置。
【請求項３】
前記複数の腕部のそれぞれが前記第１溝部に嵌合している状態から、前記爪部を前記対象部品に係合させる場合、
前記複数の腕部のそれぞれは、前記第１溝部から引っ張り出され、前記案内部の回転後に、前記第２溝部に嵌合させられる、
請求項１に記載の吊り具装置。
【発明の詳細な説明】
【技術分野】
【０００１】
本開示は、対象部品を移動させる際に用いられる吊り具装置に関する。
【背景技術】
【０００２】
例えば特許文献１には、一端に案内板を備え、他端に吊り上げ用アイナットを取り付けたロッドと、一端に鉤爪を備えた爪付支持棒と、ロッドが移動可能に挿入され、爪付支持棒の他端を回動自在に支持するスライダとからなり、案内板は爪付支持棒が納まって摺動する吊り具装置が開示されている。
【先行技術文献】
【特許文献】
【０００３】
【特許文献１】実開平６−１８３７５号公報
【発明の概要】
【発明が解決しようとする課題】
【０００４】
しかしながら、特許文献１の吊り具装置は、吊り上げ時におけるロッド、案内板等のストロークが大きいため、吊り上げにかかる時間が長くなるという問題がある。
【０００５】
本開示の目的は、吊り上げにかかる時間を短縮できる吊り具装置を提供することである。
【課題を解決するための手段】
【０００６】
本開示の一態様に係る吊り具装置は、吊上装置と連結される連結部を一端に有するロッドと、対象部品に係合する爪部を一端に有する複数の腕部と、前記ロッドが軸方向に移動可能に挿通され、前記複数の腕部の他端を回動自在に支持するベース部と、前記ロッドを中心として回転可能に前記ロッドに設けられた案内部と、を備え、前記案内部の外周部分には、前記複数の腕部のそれぞれが嵌合可能であり、かつ、第１の深さを有する第１溝部と、前記複数の腕部のそれぞれが嵌合可能であり、かつ、前記第１の深さよりも浅い第２の深さを有する第２溝部と、が設けられている。
【発明の効果】
【０００７】
本開示によれば、吊り上げにかかる時間を短縮できる。
【図面の簡単な説明】
【０００８】
【図１】本開示の実施の形態に係る吊り具装置の外観を示す図
【図２】本開示の実施の形態に係る吊り具装置およびクラッチカバーの外観を示す図
【図３】本開示の実施の形態に係る案内部の上面図
【図４Ａ】本開示の実施の形態に係る吊り具装置がクラッチカバーに配置された状態を示す一部断面図
【図４Ｂ】図４ＡのＡ−Ａ断面図
【図４Ｃ】本開示の実施の形態に係る吊り具装置において腕部を溝部から引き出した状態を示す一部断面図
【図４Ｄ】図４ＣのＢ−Ｂ断面図
【図４Ｅ】本開示の実施の形態に係る吊り具装置において腕部を別の溝部に嵌合させた状態を示す一部断面図
【図４Ｆ】図４ＥのＣ−Ｃ断面図
【図４Ｇ】本開示の実施の形態に係る吊り具装置においてロッドおよび案内部が上方向に移動した状態を示す一部断面図
【発明を実施するための形態】
【０００９】
以下、本開示の実施の形態について、図面を参照して詳細に説明する。なお、各図において、同一の共通要素には同一の符号を付している。
【００１０】
まず、本開示の実施の形態に係る吊り具装置１の構成について、図１、図２を用いて説明する。
【００１１】
図１は、本実施の形態の吊り具装置１の外観を示す図である。図２は、本実施の形態の吊り具装置１およびクラッチカバー２０の外観を示す図である。図１は、吊り具装置１にクラッチカバー２０が取り付けられる前の状態を示している。図２は、吊り具装置１にクラッチカバー２０が取り付けられた状態を示している。
【００１２】
なお、本実施の形態では、吊り上げ対象となる対象部品がクラッチカバー２０である場合を例に挙げて説明するが、これに限定されない。
【００１３】
図１、図２に示すように、吊り具装置１は、ロッド２、連結部３、案内部４、ベース部６、腕部７、および爪部８を備える。これらの構成要素は、例えば金属製であるが、これに限定されない。
【００１４】
ロッド２は、例えば棒状の部材である。ロッド２の一端には、連結部３が設けられている。ロッド２の他端には、案内部４が設けられている。連結部３および案内部４は、ロッド２と一体的に設けられてもよいし、ロッド２に対して着脱可能に設けられてもよい。
【００１５】
連結部３は、例えばアイナット状であり、図示しない吊上装置（例えば、ホイストクレーン）のフック１０と連結される。吊上装置は、吊り具装置１を吊り上げて所定の場所に移動させることができる装置である。
【００１６】
案内部４は、例えば円盤状の部材である。案内部４は、ロッド２を中心として時計回りまたは反時計回りに回転可能である。
【００１７】
ここで、図３を用いて、案内部４について説明する。図３は、本実施の形態の案内部４の上面図である。図３に示す破線の円はロッド２が設けられる位置である。
【００１８】
図３に示すように、案内部４の外周部分には、腕部７が嵌合可能な溝部５ａ、５ｂ、５ｃが設けられている。なお、溝部５ａは、第１溝部の一例に相当し、溝部５ｂ、５ｃは、第２溝部の一例に相当する。
【００１９】
溝部５ａ、５ｂ、５ｃそれぞれの数は、腕部７の数と同じである。本実施の形態では、腕部７が３つであるので（図１、図２参照）、溝部５ａ、５ｂ、５ｃは、３つずつ設けられている。図１は、３つの腕部７がそれぞれ溝部５ａに嵌合されている状態を示している。図２は、３つの腕部７がそれぞれ溝部５ｂに嵌合されている状態を示している。
【００２０】
溝部５ａ、５ｂ、５ｃは、それぞれ、異なる深さを有する。図３の例では、溝部５ａの深さが最も深い。また、溝部５ｂの深さは、溝部５ａよりも浅く、溝部５ｃよりも深い。また、溝部５ｃの深さが最も浅い。なお、溝部５ａの深さは、第１の深さの一例に相当し、溝部５ｂ、５ｃの深さは、第２の深さの一例に相当する。
【００２１】
溝部５ａ、５ｂ、５ｃそれぞれの深さが異なることにより、吊り具装置１が吊り上げられた際のロッド２のストローク（上方への移動量）が異なることになる。ロッド２のストロークは、溝部の深さが大きいほど、大きくなる。よって、ストロークは、腕部７が溝部５ａに嵌合した状態で吊り具装置１が吊り上げられた場合に最も大きくなり、腕部７が溝部５ｃに嵌合した状態で吊り具装置１が吊り上げられた場合に最も小さくなる。ストロークが大きいほど、吊り具装置１の吊り上げに係る時間は長くなる。
【００２２】
以上、案内部４について説明した。以下、図１、図２の説明に戻る。
【００２３】
ベース部６は、複数の腕部７の一端（図１、図２における上側の端部）のそれぞれを回動自在に支持する。また、ベース部６には、ロッド２が軸方向（図１、図２における上下方向）に移動（例えば、摺動）可能に挿通されている。
【００２４】
腕部７は、例えば略矩形状の部材である。本実施の形態では、腕部７が３つ設けられる場合を例に挙げて説明するが、腕部７の数は３つに限定されない。
【００２５】
腕部７の他端（図１、図２における下側の端部）には、爪部８が設けられている。爪部８は、腕部７と一体的に設けられてもよいし、腕部７に対して着脱可能に設けられてもよい。
【００２６】
上述したとおり、腕部７の一端は、ベース部６に回動自在に支持されている。よって、腕部７の他端および爪部８は、揺動する。
【００２７】
爪部８は、例えばクラッチカバー２０に係合する。より具体的には、図２に示すように、爪部８は、クラッチカバー２０の開口部２１に挿入され、吊上装置により吊り具装置１が吊り上げられた際、開口部２１を構成する内壁に係合する（例えば後述の図４Ｇ参照）。なお、図２に示す長さＤは、開口部２１の直径（開口部２１を構成する内壁間の最大距離）である。
【００２８】
以上、吊り具装置１の構成について説明した。
【００２９】
次に、吊り具装置１の使用方法の流れについて、図４Ａ〜図４Ｇを用いて説明する。
【００３０】
図４Ａ、図４Ｃ、図４Ｅ、図４Ｇは、それぞれ、吊り具装置１およびクラッチカバー２０の一部断面図である。図４Ｂ、図４Ｄ、図４Ｆは、それぞれ、図４ＡのＡ−Ａ断面図、図４ＤのＢ−Ｂ断面図、図４ＦのＣ−Ｃ断面図である。なお、図４Ａ、図４Ｃ、図４Ｅ、図４Ｇにおいて、図１、図２に示したフック１０の図示は省略している。また、以下の説明では、１つの腕部７および爪部８を例に挙げて説明するが、残り２つの腕部７および爪部８についても、同様の動作が行われるものとする。
【００３１】
まず、作業者は、例えば吊上装置を操作して、図４Ａに示すように、吊り具装置１をクラッチカバー２０上に配置する。このとき、腕部７は、図４Ａ、図４Ｂに示すように、溝部５ａに嵌合された状態である。
【００３２】
次に、作業者は、図４Ｃ、図４Ｄに示すように、腕部７を溝部５ａから引っ張り出し、爪部８を開口部２１に挿入する。
【００３３】
次に、作業者は、案内部４を例えば反時計回り（図４Ｄに示す矢印ａの方向）に回転させ、腕部７の位置と所望の溝部５ｂの位置とを合わせる。
【００３４】
次に、作業者は、図４Ｅ、図４Ｆに示すように、腕部７を溝部５ｂに嵌合させる。
【００３５】
次に、作業者は、例えば吊上装置を操作して、吊り具装置１を上方（図４Ｇに示す矢印ｂの方向）へ吊り上げる。このとき、図４Ｇに示すように、ロッド２、連結部３、および案内部４が上方へ移動する。また、このとき、案内部４は、腕部７を摺動する。これにより、腕部７は放射状に押し広がり、爪部８が開口部２１の内壁に係合する。
【００３６】
このようにして、クラッチカバー２０は、吊り具装置１とともに上方へ吊り上げられ、所定の場所に移動させられる。
【００３７】
上記説明では、溝部５ａから引っ張り出された腕部７が溝部５ｂに嵌合される場合を例に挙げて説明したが、溝部５ａから引っ張り出された腕部７が溝部５ｃに嵌合される場合も、同様である。
【００３８】
なお、溝部５ａに腕部７を嵌合した状態のまま爪部８を開口部２１に挿入し、吊り具装置１を吊り上げることも可能である。その場合、ロッド２のストロークは、溝部５ｂまたは溝部５ｃに腕部７を嵌合して吊り具装置１を吊り上げる場合に比べて、大きくなる。
【００３９】
以上、吊り具装置１の使用方法の流れについて説明した。
【００４０】
ここまで詳述したように、本実施の形態の吊り具装置１は、フック１０と連結される連結部３を一端に有するロッド２と、クラッチカバー２０に係合する爪部８を一端に有する複数の腕部７と、ロッド２が軸方向に移動可能に挿通され、複数の腕部７の他端を回動自在に支持するベース部６と、ロッド２を中心として回転可能にロッド２に設けられた案内部４と、を備える。案内部４の外周部分には、複数の腕部７のそれぞれが嵌合可能であり、かつ、第１の深さを有する溝部５ａと、複数の腕部７のそれぞれが嵌合可能であり、かつ、第１の深さよりも浅い第２の深さを有する溝部５ｂ、５ｃと、が設けられている。
【００４１】
よって、作業者が腕部７を嵌合させる溝部５ｂまたは溝部５ｃを選択することにより、吊り上げ時におけるロッド２のストロークを小さくできる。したがって、吊り具装置１およびクラッチカバー２０の吊り上げにかかる時間を短縮できる。
【００４２】
また、溝部５ａ、５ｂ、５ｃのうち腕部７をどれに嵌合させるかに応じて、最終的な腕部７の放射状の広がりの大きさが異なる。腕部７の放射状の広がりは、溝部５ａを用いた場合が最も小さくなり、溝部５ｃを用いた場合が最も大きくなる。よって、開口部２１の直径Ｄ（図２参照）の大きさに応じて、溝部５ａ、５ｂ、５ｃの中から適切な溝部を選択することにより、吊り上げ時の安定感を得ることができる。したがって、様々なサイズのクラッチカバー２０に対応できるので、利便性が向上する。
【００４３】
なお、本開示は、上述の実施の形態に限定されるものではなく、本開示の趣旨を逸脱しない範囲で、適宜変形して実施することが可能である。以下、変形例について説明する。
【００４４】
［変形例１］
実施の形態では、案内部４に設けられる溝部が３種類である場合を例に挙げて説明したが、これに限定されない。例えば、案内部４には、溝部５ａ、５ｂの２種類が設けられてもよいし、４種類以上の溝部が設けられてもよい。
【００４５】
［変形例２］
実施の形態では、図１に示したように、３つの腕部７が溝部５ａに嵌合している場合、各腕部７の下端部（爪部８が設けられている側の端部）が接しない例を挙げたが、これに限定されない。例えば、溝部５ａの深さをより大きくすることにより、３つの腕部７が溝部５ａに嵌合したときに、各腕部７の下端部同士が接するようにしてもよい。
【００４６】
これにより、各爪部８が密集した状態となるので、開口部２１の直径Ｄがより小さいクラッチカバー２０であっても、爪部８を開口部２１に挿入することができる。
【００４７】
以上、変形例について説明した。上述した変形例は、適宜組み合わせてもよい。
【産業上の利用可能性】
【００４８】
本開示の吊り具装置は、対象部品の吊り上げ移動に有用である。
【符号の説明】
【００４９】
１  吊り具装置
２  ロッド
３  連結部
４  案内部
５ａ、５ｂ、５ｃ  溝部
６  ベース部
７  腕部
８  爪部
１０  フック
２０  クラッチカバー
２１  開口部
【図１】
2020040815.tif 000003
【図２】
2020040815.tif 000004
【図３】
2020040815.tif 000005
【図４Ａ】
2020040815.tif 000006
【図４Ｂ】
2020040815.tif 000007
【図４Ｃ】
2020040815.tif 000008
【図４Ｄ】
2020040815.tif 000009
【図４Ｅ】
2020040815.tif 000010
【図４Ｆ】
2020040815.tif 000011
【図４Ｇ】
2020040815.tif 000012